(57)【要約】      （修正有）【課題】縦に並べられた本・ＣＤケースなどを複数冊同時に傷つけることなくスムーズに移動させることは困難であった。それらを安定して運ぶことができる３つの直交した方向から固定させる可動式収納具の提供。【解決手段】横方向は留め金１０により常に固定されている。取っ手５を持ち上げる事で連結されたストッパー６が棚の前面に密着し縦方向を固定する。持ち上げる際取っ手５は連結点７２と留め具８３により重力と平行となり底面２は重力に垂直な方向に固定される。これにより収納物が３つの直交した方向から固定され、取っ手を持ち上げるだけで収納物を縦に並べたまま収納具を移動し、別の場所に再度設置することができる。【選択図】図２
2019181119.tif 000002
【特許請求の範囲】
【請求項１】
底面部、左側面部、左側面部および背面部を含む本体と、取っ手およびストッパーを備える可動部とを有する収納具であって、前記ストッパーは、前記右側面および左側面にそれぞれ平行に前記本体の奥から手前に向かって延びる上回転部と、前記底面部の手前に位置する抑え部を備え、前記上回転部の一方の端部は、前記右側面および左側面にそれぞれ回転可能に固定され、前記上回転部の他方の端部は、抑え部に連結し、設置時において底面部の前方に置かれ、前記取っ手は、前記右側面および左側面にそれぞれ平行に前記本体の側面から上面に向かって延びる横回転部と、前記左右側面および背面の上端より上に位置し、右側面から左側面に向かって延びる握り部を備え、前記横回転部の一方の端部は、前記上回転部の右連結部および左連結部にそれぞれ底面部と垂直な角度まで回転できるよう固定され、前記横回転部の他方の端部は、握り部に連結し、握り部は設置時において背面部の上方に底面部から一定の間隔を保ち平行に配置され、設置時においては前方・上方は開放され物の出し入れを円滑に行え、移動時においては握り部を持ち上げることで抑え部が上方に回転し抑え部と収納具右側面部および左側面部前方が連結し前方から収納具が落下することを防ぎ、横回転部が底面部と垂直な向きになることで底面が地面と平行を保つことを特徴とする可動式収納具。
【請求項２】
上記底面部上面または背面部前面またはその両方に上記側面部と平行な仕切りを連結できるような凹部を左右に大きい間隔を置かず複数設け任意の厚さの収納物を横方向から固定できる本立てとしての機能を付与した可動式収納具。
【請求項３】
上記底面部上面または背面部前面またはその両方に上記側面部と平行な仕切りを左右に移動し任意の位置で固定できるよう接続し任意の厚さの収納物を横方向から固定できる本立てとしての機能を付与した可動式収納具。
【発明の詳細な説明】
【技術分野】
【０００１】本発明は、収納具に関し、さらに詳細には、物品の取り出しが容易で、かつ収納器具の内部の物品ごと移動させる機能を有する収納具に関する。
【背景技術】
【０００２】従来の本立ての様に前面・上面が開かれた収納用具は対象を置く機能しか持たず、それらを乗せたまま移動させる機能はなかった。また、本・ＣＤケース等を同時に移動させるにはそれらを積む必要があり手間がかかり損傷・滑落・歪みの発生の恐れもあった。さらに、完全に密封することなくそれらを片手で運ぶことは不可能に近く、両手を用いても全ての向きから支えることは困難であった。
【発明の概要】
【発明が解決しようとする課題】
【０００３】本発明の目的とするところは、運搬にも好適な本立てなどの収納具を提供することである。
【課題を解決するための手段】
【０００４】上記課題に鑑み本発明者が鋭意検討した結果、収納具本体に、所定の構造を有するストッパーと取っ手を含む可動部を付与することにより、上記課題を解決できることを見出し、本発明を完成した。【０００５】すなわち、本発明にかかる収納具は、底面部、左側面部、左側面部および背面部を含む本体と、取っ手およびストッパーを備える可動部とを有する収納具であって、前記ストッパーは、前記右側面および左側面にそれぞれ平行に前記本体の奥から手前に向かって延びる上回転部と、前記底面部の手前に位置する抑え部を備え、前記上回転部の一方の端部は、前記右側面および左側面にそれぞれ回転可能に固定され、前記上回転部の他方の端部は、抑え部に連結し、設置時において底面部の前方に置かれ、前記取っ手は、前記右側面および左側面にそれぞれ平行に前記本体の側面から上面に向かって延びる横回転部と、前記左右側面および背面の上端より上に位置し、右側面から左側面に向かって延びる握り部を備え、前記横回転部の一方の端部は、前記上回転部の右連結部および左連結部にそれぞれ底面部と垂直な角度まで回転可能に固定され、前記横回転部の他方の端部は、握り部に連結し、握り部は設置時において背面部の上方に底面部から一定の間隔を保ち平行に配置され、設置時においては前方・上方は開放され従来の収納具と同様に扱え、移動時においては握り部を持ち上げることで抑え部が収納具右側面部および左側面部前方にある窪みなどの抑え部が前方に連結する仕掛けと連結し前方から収納具が落下することを防ぎ、握り部を持ち上げるだけで底面が重力と垂直なまま移動できることを特徴とする。
【発明の効果】
【０００６】本発明においては、取っ手を引き上げる際にストッパーが連動し収納具の前面から収納物が落下することを防ぎ、取っ手と底面が垂直になることで底面が水平方向から大きく傾くことを防ぐ。このため、収納物を収納器具に収納したまま円滑な移動が可能となる。特に、これまで安定して運ぶことが難しかった複数の本などの板状の物体を円滑に運ぶことができる。この場合、単一の規格の収納物しか固定できないが、同時に運びたい対象は連続するナンバーの雑誌や本、同じレーベルの本、ＣＤ・ＤＶＤケースなど自ずと同じ規格になることが多いのであまり気にならない。
【図面の簡単な説明】
【０００７】
【図１】本発明の一実施形態による収納具を本立てとして使用したときの設置時の構造を示す斜視図
【図２】本発明の一実施形態による収納具を本立てとして使用したときの移動時の構造を示す斜視図
【図３】本発明の一実施形態による収納具の設置時の構造を示す側面図
【図４】本発明の一実施形態による収納具の移動時の構造を示す側面図
【発明を実施するための形態】
【０００８】  図１を参照して本発明の一実施形態による収納具の設置時の詳細について説明する。
【０００９】  収納具本体１は、底面部２、左右側面部４１、４２および背面部３から構成される。本発明の収納部本体１は、本などの収納する物を好適に取り出しできる形態であれば、図１の形状や構成に限定されない。例えば、図１では、４枚の板から構成されているが、スチール製のポールを組み合わせた構成などとすることもできる。また、図１では、収納部は直方体の形状であるが、収納する物に応じて、立方体などとすることもできる。
【００１０】  本体１の両側面部４１、４２の背面部３および底面部２に近い位置に回転軸からなる連結点７１が設けられる。そして、連結点７１に接続して、ストッパー６は留め具８２の上に置かれ底面２の前面の前方に所定の間隔を空けて平行に並んでおり、本体取っ手５はストッパー６と連結点７２により接続され留め具８１の上に置かれ背面の真上に位置し、取っ手及びストッパーは物の出し入れを阻害しない位置にあり、従来の収納器具と変わらず扱える。
【００１１】  図２を参照して本発明の移動時の形態について説明する。取っ手５を引き上げる際連結点７２においてストッパー６が連動し上方へ回転し、窪み９にはまり前面の前に固定される。これにより収納物が前方から落下することを防ぐ。収納具の重心は中心よりわずかに後方にあり、後方へ傾こうとする収納具を取っ手５が留め具８３と接触する形で後方より抑える。留め具８３は移動時取っ手５が底面２と垂直になるよう配置されている。これにより、取っ手５を持ち上げるだけで収納器具を収納物ごと水平を保ったまま移動させることが可能となる。
【００１２】  さらに図１を参照して本立てとしての機能を説明する。底面２の前後の方向に平行に位置する任意の２つの穴１１に留め金１０を差し込むことで収納物が長辺に平行な方向に倒れることを防ぎ本やＣＤケースなどの設置に適する。  これにより、収納物が前後左右の全ての方向から固定され、取っ手を引き上げる動作のみで縦に並べられた複数の対象を同時に運び、別の場所に再度設置することができる。
【符号の説明】
【００１３】１                本立て本体
２                底面
３                背面
４１  ４２        側面
５                取っ手
６                ストッパー
７１  ７２        連結点
８１  ８２  ８３  留め具
９                窪み
１０              留め金
１１              穴
【図１】
2019181119.tif 000003
【図２】
2019181119.tif 000004
【図３】
2019181119.tif 000005
【図４】
2019181119.tif 000006